(57)【要約】【課題】作業者の安全を確保する。【解決手段】包装装置９０は、フレーム１０と、第１製袋包装部３１Ａおよび第２製袋包装部３１Ｂと、アクセス遮断部材４１〜４３と、を備える。フレーム１０は、水平方向に延びる複数の梁を含む天井部１１、および、床から離間するように天井部１１を支持するように構成された複数の脚１２ａ〜１２ｄ、を含む。第１製袋包装部３１Ａおよび第２製袋包装部３１Ｂは、天井部１１の下方の空間である設置空間１５を構成する第１設置空間１５Ａと第２設置空間１５Ｂにそれぞれ設置される。アクセス遮断部材４１〜４３は、作業者による第１設置空間１５Ａと第２設置空間１５Ｂの一方から他方へのアクセスを遮断するように構成された第１アクセス遮断部材４１を少なくとも含む。【選択図】図８
2018184193.tif 000002
【特許請求の範囲】
【請求項１】
水平方向に延びる複数の梁を含む天井部、および、床から離間するように前記天井部を支持するように構成された複数の脚、を含むフレームと、
前記天井部の下方の空間である設置空間を構成する第１設置空間と第２設置空間にそれぞれ設置されるように構成された第１製袋包装部および第２製袋包装部と、
前記設置空間の内部の所定の部位への作業者のアクセスを遮断するように構成されたアクセス遮断部材と、
を備え、
前記アクセス遮断部材は、前記作業者による前記第１設置空間と前記第２設置空間の一方から他方へのアクセスを遮断するように構成された第１アクセス遮断部材を少なくとも含む、
包装装置。
【請求項２】
前記第１アクセス遮断部材は、前記第１製袋包装部および前記第２製袋包装部がそれぞれ前記第１設置空間および前記第２設置空間に設置されている場合において、前記第１製袋包装部および前記第２製袋包装部の間に位置する、
請求項１に記載の包装装置。
【請求項３】
前記第１アクセス遮断部材は、前記フレームの中心平面に設けられる、
請求項１または２に記載の包装装置。
【請求項４】
前記第１製袋包装部および前記第２製袋包装部は、それぞれ前記第１設置空間および前記第２設置空間に設置されている場合において、前記天井部を支持するように構成された支持部を含む、
請求項１から３のいずれか１つに記載の包装装置。
【請求項５】
前記第１製袋包装部および前記第２製袋包装部は、それぞれ、前記支持部の高さ位置を調節するように構成された全高調節部を含む、
請求項４に記載の包装装置。
【請求項６】
前記第１製袋包装部および前記第２製袋包装部は、それぞれ、
自身を上げ下ろしするパレットジャッキを受け入れるためのジャッキ受容部と、
前記支持部と前記天井部の間隙に設置される防振ゴム部材と、
前記支持部、前記防振ゴム部材、前記天井部を一緒に固定するためのボルトと、
を含む、
請求項４または５に記載の包装装置。
【請求項７】
前記天井部は、前記第１製袋包装部および前記第２製袋包装部へ供給される物品を計量する組合せ計量機を載置できるように構成されており、
前記組合せ計量機は、前記物品を排出する第１排出口および第２排出口を有し、
前記第１製袋包装部および前記第２製袋包装部は、前記第１排出口および前記第２排出口からそれぞれ前記物品を受け取るように構成されている、
請求項１から６のいずれか１つに記載の包装装置。
【発明の詳細な説明】
【技術分野】
【０００１】
本発明は、包装装置に関する。
【背景技術】
【０００２】
スナック菓子などの物品は、袋で包装してから商品として出荷される。このような商品を製造するために、例えば特許文献１（実開昭６０−７００３７号公報）に開示されているような組合せ計量機と包装装置が用いられる。組合せ計量機は、物品を計量し、一定量の物品を取り分ける。包装装置は、組合せ計量機から落下する物品を受け取り、袋で包装し、完成した商品を排出する。
【０００３】
生産効率を向上させるため、限られた敷地面積の工場に多数の包装装置が設置されることがある。そのようなニーズに応えるべく、１台の包装装置が２つの製造ラインに対応できるように、当該１台の包装装置が製袋包装を行う機構を２つ有することもある。
【発明の概要】
【発明が解決しようとする課題】
【０００４】
包装装置の密集配置は、作業者の事故を誘発するリスクがある。作業者が触れる必要のない部位に誤って触れるおそれがあるからである。
【０００５】
本発明の課題は、包装装置において、密集設置される場合であっても作業者の安全を確保することである。
【課題を解決するための手段】
【０００６】
本発明の第１観点に係る包装装置は、フレームと、第１製袋包装部および第２製袋包装部と、アクセス遮断部材と、を備える。フレームは、水平方向に延びる複数の梁を含む天井部、および、床から離間するように天井部を支持するように構成された複数の脚、を含む。第１製袋包装部および第２製袋包装部は、天井部の下方の空間である設置空間を構成する第１設置空間と第２設置空間にそれぞれ設置される。アクセス遮断部材は、設置空間の内部の所定の部位への作業者のアクセスを遮断するように構成される。アクセス遮断部材は、作業者による第１設置空間と第２設置空間の一方から他方へのアクセスを遮断するように構成された第１アクセス遮断部材を少なくとも含む。
【０００７】
この構成によれば、第１アクセス遮断部材が、第１設置空間と第２設置空間の一方から他方へのアクセスを遮断する。したがって、第１製袋包装部と第２製袋包装部の一方だけが設置空間に設置されている場合において、設置空間にいる作業者が運転中の製袋包装部に接触することを防げるので、作業者の安全が確保される。
【０００８】
本発明の第２観点に係る包装装置は、第１観点に係る包装装置において、第１アクセス遮断部材が、第１製袋包装部および第２製袋包装部がそれぞれ第１設置空間および第２設置空間に設置されている場合において、第１製袋包装部および第２製袋包装部の間に位置する。
【０００９】
この構成によれば、第１アクセス遮断部材が、第１製袋包装部および第２製袋包装部の間に位置する。したがって、作業者がメンテナンスを行う製袋包装部以外の製袋包装部に接触することを防げるので、作業者の安全が確保される。
【００１０】
本発明の第３観点に係る包装装置は、第１観点または第２観点に係る包装装置において、第１アクセス遮断部材が、フレームの中心平面に設けられる。
【００１１】
この構成によれば、第１アクセス遮断部材がフレームの中心平面に設けられるので、第１設置空間と第２設置空間の大きさが均等になる。したがって、包装装置が対照的な構造を有するので、包装装置が安定し、作業者の安全が確保される。
【００１２】
本発明の第４観点に係る包装装置は、第１観点から第３観点のいずれか１つに係る包装装置において、第１製袋包装部および第２製袋包装部が、それぞれ第１設置空間および第２設置空間に設置されている場合において、天井部を支持するように構成された支持部を含む。
【００１３】
この構成によれば、第１製袋包装部および第２製袋包装部は、天井部を支持するための支持部を含む。したがって、第１製袋包装部および第２製袋包装部は、それぞれ第１設置空間および第２設置空間に設置されているときに天井部の支持に寄与するので、包装装置の安定性が増す。
【００１４】
本発明の第５観点に係る包装装置は、第４観点に係る包装装置において、第１製袋包装部および第２製袋包装部が、それぞれ、支持部の高さ位置を調節するように構成された全高調節部を含む。
【００１５】
この構成によれば、第１製袋包装部および第２製袋包装部は、それぞれ全高調節部を含む。したがって、支持部の高さ方向の位置を調節できるので、第１製袋包装部および第２製袋包装部を、それぞれ第１設置空間および第２設置空間に設置する作業が容易になる。
【００１６】
本発明の第６観点に係る包装装置は、第４観点または第５観点に係る包装装置において、第１製袋包装部および第２製袋包装部が、それぞれ、自身を上げ下ろしするパレットジャッキを受け入れるためのジャッキ受容部と、支持部と天井部の間隙に設置される防振ゴム部材と、支持部、防振ゴム部材、天井部を一緒に固定するためのボルトと、を含む。
【００１７】
この構成によれば、第１製袋包装部および第２製袋包装部は、それぞれジャッキ受容部、防振ゴム部材、ボルトを有する。したがって、設置の際に、製袋包装部をパレットジャッキで持ち上げて設置空間へ移動し、所定の位置で製袋包装部を床へ下ろし、支持部と天井部の隙間に防振ゴム部材を挿入し、これらすべてをボルトで固定することにより、支持部による天井部が支持され、フレームが安定する。
【００１８】
本発明の第７観点に係る包装装置は、第１観点から第６観点のいずれか１つに係る包装装置において、天井部が、第１製袋包装部および第２製袋包装部へ供給される物品を計量する組合せ計量機を載置できるように構成されている。組合せ計量機は、物品を排出する第１排出口および第２排出口を有する。第１製袋包装部および第２製袋包装部は、第１排出口および第２排出口からそれぞれ物品を受け取るように構成されている。
【００１９】
この構成によれば、天井部には組合せ計量機が載置される。したがって、組合せ計量機は安定した構造を有するフレームによって安定的に支持される。
【発明の効果】
【００２０】
本発明に係る包装装置によれば、作業者の安全が確保される。
【図面の簡単な説明】
【００２１】
【図１】本発明の一実施形態に係る包装装置９０の斜視図である。
【図２】包装装置９０に載置される組合せ計量機１１０の第１計量部１１１Ａを示す模式図である。
【図３】フレーム１０の斜視図である。
【図４】第１補助脚１８を取り付けたときのフレーム１０の斜視図である。
【図５】折りたたみ扉である第２アクセス遮断部材４２を示す側面模式図である。
【図６】折りたたみ扉である第２アクセス遮断部材４２の動きを示す平面模式図である。
【図７】包装装置９０の組み立て工程を示す図である。
【図８】包装装置９０の組み立て工程を示す図である。
【図９】包装装置９０の組み立て工程を示す図である。
【図１０】包装装置９０の組み立て工程を示す図である。
【図１１】包装装置９０のメンテナンスの作業を示す図である。
【図１２】製袋包装部３０の運搬を示す図である。
【図１３Ａ】製袋包装部３０の取り付け工程を示す図である。
【図１３Ｂ】製袋包装部３０の取り付け工程を示す図である。
【図１３Ｃ】製袋包装部３０の取り付け工程を示す図である。
【図１３Ｄ】製袋包装部３０の取り付け工程を示す図である。
【発明を実施するための形態】
【００２２】
（１）全体構成
図１は、本発明の一実施形態に係る包装装置９０を示す。包装装置９０の上には、組合せ計量機１１０が取り付けられている。包装装置９０と組合せ計量機１１０は、商品を製造する２つのライン、すなわち第１製造ラインと第２製造ラインを構成する。
【００２３】
（２）組合せ計量機１１０
包装装置９０の詳細構成を説明する前に、組合せ計量機１１０について説明する。組合せ計量機１１０は、粒状物、小片、その他の形状の物品を受け取って計量し、予め決められた重量の物品を包装装置９０へ送る動作を繰り返す。組合せ計量機１１０は、包装装置９０のフレーム１０に載置され、固定されている。組合せ計量機１１０は、第１製造ラインに属する第１計量部１１１Ａおよび第２製造ラインに属する第２計量部１１１Ｂを有する。
【００２４】
図２に示すように、第１計量部１１１Ａは、第１分散フィーダ１１２Ａ、複数の第１振動トラフ１１３Ａ、複数の第１ホッパ１１４Ａ、第１シュート１１８Ａを有する。物品は第１分散フィーダ１１２Ａの上に落下するように供給される。第１分散フィーダ１１２Ａは振動することによって物品を分散させ、複数の第１振動トラフ１１３Ａへ物品を送る。複数の第１振動トラフ１１３Ａは、第１分散フィーダ１１２Ａの周囲に放射状に配置されている。それぞれの第１振動トラフ１１３Ａは振動することにより、物品を対応する第１ホッパ１１４Ａへ送る。複数の第１ホッパ１１４Ａは、物品を貯留および排出することができる。各第１ホッパ１１４Ａには、貯留された物品の重量を検知するための重量センサが設けられている。第１ホッパ１１４Ａから排出された物品は第１シュート１１８Ａへ落下する。第１シュート１１８Ａには第１排出口１１９Ａが設けられている。第１シュート１１８Ａは、落下してきた物品を受け取り、第１排出口１１９Ａから排出する。
【００２５】
組合せ計量動作においては、まず、図示しない処理部が各第１ホッパ１１４Ａに貯留されている物品の重量を取得する。次に、複数の第１ホッパ１１４Ａの様々な組合せについて、処理部が貯留物の合計重量を算出する。次に、処理部は、予め決められた重量に最も近い重量を貯留している組合せを特定する。最後に、処理部は、特定した組合せに該当する複数の第１ホッパ１１４Ａに対して物品を排出する指示を与える。最後に、特定した組合せに含まれる複数の第１ホッパ１１４Ａの貯留物は、第１排出口１１９Ａから排出される。
【００２６】
図１に示す第２計量部１１１Ｂも、第１計量部１１１Ａと同様に、第２分散フィーダ１１２Ｂ、複数の第２振動トラフ１１３Ｂ、複数の第２ホッパ１１４Ｂ、第２シュート１１８Ｂを有する。第２シュート１１８Ｂには第２排出口１１９Ｂが設けられている。第２計量部１１１Ｂの動作も、第１計量部１１１Ａの動作と同様である。
【００２７】
（３）詳細構成
次に、包装装置９０の詳細構成について説明する。図１に示すように、包装装置９０は、フレーム１０、製袋包装部３０、アクセス遮断部材群４０、操作盤５０を有する。さらに、図７に示すように、包装装置９０は、金属検知部６０を有する。
【００２８】
（３−１）フレーム１０
図３に示すフレーム１０は、包装装置９０の各部を安定的に支持するためのものである。フレーム１０は、第１端Ｅ１から第２端Ｅ２までを占め、天井部１１と、脚部１２とを含む。天井部１１は、水平方向に延びる複数の梁１１ａ〜１１ｅを含む。天井部１１は、組合せ計量機１１０を載置できるように構成されている。脚部１２は、鉛直方向に延びる複数の脚を含む。脚部１２は、天井部１１を床から離間するように支持する。複数の脚には、それぞれ、当該脚の全高寸法を調節するための全高調節部１３が設けられている。全高調節部１３は、例えばジャッキボルトからなる。複数の脚は、天井部１１に対して固定された複数の固定脚１２ａ〜１２ｄを含む。複数の固定脚１２ａ〜１２ｄは、第１端Ｅ１の側に設けられた３本の第１端側固定脚１２ａ、１２ｃ、１２ｄ、および、第２端Ｅ２の側に設けられた１本の第２端側固定脚１２ｂを含む。
【００２９】
中央の梁１１ｃおよびその中央の梁１１ｃに接続する第１端側固定脚１２ａおよび第２端側固定脚１２ｂは中央平面ＣＰを規定する。中央平面ＣＰは、第１端Ｅ１および第２端Ｅ２の両方と交差し、かつ、鉛直方向にも広がっている。フレーム１０の構造は、中央平面ＣＰを基準として概ね対称である。
【００３０】
天井部１１の下方の空間は、製袋包装部３０を設置するための設置空間１５である。設置空間１５には、製袋包装部３０のメンテナンス作業などのために、作業者が入ることができる。中央平面ＣＰにより、設置空間１５は、第１設置空間１５Ａと第２設置空間１５Ｂに分割される。
【００３１】
図４に示すように、フレーム１０の脚部１２の複数の脚は、さらに、天井部１１に対して着脱可能な第１補助脚１８を含む。第１補助脚１８は、包装装置９０の組み立てやメンテナンスにおいて、必要に応じて天井部１１に取り付けることができる。さらに、図１１に示すように、脚部１２の複数の脚は、組み立て後のメンテナンスにおいて使用される着脱可能な第２補助脚１９も含む。第１端側固定脚１２ａ、１２ｃ、１２ｄ、第１補助脚１８、第２補助脚１９、および前記第２端側固定脚１２ｂは、この順で第１端Ｅ１に最も近いものから第２端Ｅ２に最も近いものとなるよう配列されている。
【００３２】
（３−２）製袋包装部３０
図１に戻り、製袋包装部３０は、フィルム部材から袋を作り、その中に物品を封入して包装する。製袋包装部３０もまた、第１製造ラインに属する第１製袋包装部３１Ａと、第２製造ラインに属する第２製袋包装部３１Ｂとを有する。第１製袋包装部３１Ａは、第１排出口１１９Ａから落下する物品を受け取るように、組合せ計量機１１０の第１計量部２１Ａの下方に設置されている。第２製袋包装部３１Ｂは、第２排出口１１９Ｂから落下する物品を受け取るように、組合せ計量機１１０の第２計量部２１Ｂの下方に設置されている。
【００３３】
（３−３）アクセス遮断部材群４０
アクセス遮断部材群４０は、設置空間１５の内部の所定の部位への作業者のアクセスを遮断するためのものである。アクセス遮断部材群４０は、第１アクセス遮断部材４１、第２アクセス遮断部材４２、第３アクセス遮断部材４３を含む。これらの部材は、遮断している空間が視認できるように、例えば透明な樹脂部材、または多数の孔を設けられた金属板などから形成されることが好ましい。
【００３４】
第１アクセス遮断部材４１は、中央平面ＣＰ（図３）に位置するようにフレーム１０に取り付けられている。第１アクセス遮断部材４１は、第２設置空間１５Ｂから第１製袋包装部３１Ａへのアクセスを遮断する。さらに、第１アクセス遮断部材４１は、第１設置空間１５Ａから第２製袋包装部３１Ｂへのアクセスを遮断する。
【００３５】
第２アクセス遮断部材４２は、折りたたみ扉として構成されている。１つの第２アクセス遮断部材４２が、作業者の第１設置空間１５Ａへのアクセスを許可または禁止するために、梁１１ａに取り付けられている。もう１つの第２アクセス遮断部材４２が、作業者の第２設置空間１５Ｂへのアクセスを許可または禁止するために、梁１１ｂに取り付けられている。
【００３６】
図５に示すように、第２アクセス遮断部材４２は、連結された複数の扉板からなる。扉板の連結はヒンジ４７によって行われる。第２アクセス遮断部材４２の幅方向に離間する両端のうち、一方は移動扉端４５ｅであり、他方は非移動扉端４６ｅである。移動扉端４５ｅは、梁１１ａまたは梁１１ｂに沿ってスライドする。非移動扉端４６ｅは、移動扉端４５ｅの反対側にあり、梁１１ａまたは梁１１ｂに対してスライドしない。複数の扉板のうち、移動扉端４５ｅを含むものは移動扉板４５であり、非移動扉端４６ｅを含むものは非移動扉板４６である。
【００３７】
図６に示すように、第２アクセス遮断部材４２は、移動扉端４５ｅが非移動扉端４６ｅに接近する開姿勢ＰＯと、移動扉端４５ｅが非移動扉端４６ｅから離間する閉姿勢ＰＣと、をとるように構成されている。第２アクセス遮断部材４２が開姿勢ＰＯをとるときには、作業者は設置空間１５にアクセスすることができる。第２アクセス遮断部材４２が閉姿勢ＰＣをとるときには、作業者は設置空間１５にアクセスすることができない。第２アクセス遮断部材４２は、開姿勢ＰＯにおいて、梁１１ａまたは梁１１ｂから設置空間１５の外方へ突出するように構成されている。すなわち、開姿勢において、ヒンジ４７は設置空間１５から離間し、梁１１ａまたは梁１１ｂよりも外方へ位置する。
【００３８】
第３アクセス遮断部材４３は、包装装置９０の第１端Ｅ１側に取り付けられ、作業者による第１端Ｅ１から設置空間１５へのアクセスを遮断する。
【００３９】
（３−４）操作盤５０
図１に戻り、操作盤５０は、製袋包装部３０の動作についての作業者から指示を受け付けるものである。操作盤５０もまた、第１製造ラインに属する第１操作盤５１Ａと、第２製造ラインに属する第２操作盤５１Ｂとを有する。
【００４０】
第１操作盤５１Ａは、第１製袋包装部３１Ａの動作についての指示を受け付ける。第２操作盤５１Ｂは、第２製袋包装部３１Ｂの動作についての指示を受け付ける。
【００４１】
操作盤５０を構成する第１操作盤５１Ａおよび第２操作盤５１Ｂは、フレーム１０に対して移動または旋回することができるように取り付けられる。通常時には、第１操作盤５１Ａおよび第２操作盤５１Ｂは、側面視において、第２アクセス遮断部材４２の移動扉端４５ｅに重なる姿勢をとる。一方メンテナンス時には、第１操作盤５１Ａおよび第２操作盤５１Ｂは移動または旋回させられ、側面視において、閉姿勢の第２アクセス遮断部材４２の移動扉端４５ｅに重ならない姿勢へ移行する。このとき、移動扉端４５ｅは外部空間に露出されるので、作業者は移動扉端４５ｅに容易に触れることができ、第２アクセス遮断部材４２の開閉が行いやすい。
【００４２】
（３−５）金属検知部６０
図７に示すように金属検知部６０は、組合せ計量機１１０から製袋包装部３０へ受け渡される物品の中に混入している金属異物を検知するためのものである。金属検知部６０は、第１製造ラインに属する第１金属検知部６１Ａ、および、第２製造ラインに属する第２金属検知部６１Ｂを有する。
【００４３】
（４）包装装置９０の組み立て
包装装置９０の組み立ては、以下の手順で行われる。
【００４４】
（４−１）フレーム１０の準備
図３に示すフレーム１０が準備される。
【００４５】
（４−２）第１補助脚１８の取り付け
図４に示すように、第１補助脚１８がフレーム１０の天井部１１に取り付けられる。このとき、天井部１１の水平配置が損なわれないように、第１補助脚１８の全高調節部１３が調節される。
【００４６】
（４−３）金属検知部６０の取り付け
図７に示すように、金属検知部６０がフレーム１０に取り付けられる。金属検知部６０の取り付けの後に、第１アクセス遮断部材４１が中央平面ＣＰ（図３）に位置するようにフレーム１０に取り付けられる。
【００４７】
（４−４）製袋包装部３０の取り付け
図８に示すように、製袋包装部３０を構成する第１製袋包装部３１Ａおよび第２製袋包装部３１Ｂが、フレーム１０の内部の第１設置空間１５Ａおよび第２設置空間１５Ｂへそれぞれ収容される。収容後は、図９に示す状態となる。
【００４８】
収容に際しては、図１２に示すように、第１製袋包装部３１Ａまたは第２製袋包装部３１Ｂを持ち上げて運搬するためのパレットジャッキＰＪが用いられる。まず、パレットジャッキＰＪの荷台を、第１製袋包装部３１Ａまたは第２製袋包装部３１Ｂのジャッキ受容部３９に差し込む。次に、パレットジャッキＰＪの荷台を上昇させ、第１製袋包装部３１Ａまたは第２製袋包装部３１Ｂの全高調節部３３を床から離す。次に、作業者がパレットジャッキＰＪを押すことにより、第１製袋包装部３１Ａまたは第２製袋包装部３１Ｂを設置空間１５へ収容する。この時、図１３Ａに示すように、フレーム１０の天井部１１と第１製袋包装部３１Ａまたは第２製袋包装部３１Ｂの支持部３２とは近接している。次に、図１３Ｂに示すように、パレットジャッキＰＪの荷台を下降させ、全高調節部３３を床に下ろす。次に、図１３Ｃに示すように、天井部１１と支持部３２の間隙に防振ゴム部材３４を挿入する。最後に、図１３Ｄに示すように、ボルト３５によって、支持部３２、防振ゴム部材３４、天井部１１を一緒に締結する。
【００４９】
（４−５）組合せ計量機１１０の取り付け
図１０に示すように、組合せ計量機１１０がフレーム１０の天井部１１に載置され、固定される。
【００５０】
（４−６）仕上げ
図１０に示す構成において、第１補助脚１８を取り外す。次いで、第２アクセス遮断部材４２および第３アクセス遮断部材がフレーム１０に取り付けられる。なお、図１０より、第１補助脚１８の位置は、第２アクセス遮断部材４２の移動扉端４５ｅの近傍に位置することが理解される。
【００５１】
以上の手順の結果、包装装置９０は図１に示した状態となる。これにて、組み立てが完了する。
【００５２】
（５）包装装置９０のメンテナンス
図１１は、包装装置９０のメンテナンスの様子を示す。第２製袋包装部３１Ｂが運転を続行している一方で、第１製袋包装部３１Ａはフレーム１０から取り外されている。天井部１１の荷重の支持を第１製袋包装部３１Ａの支持部３２に代わって行うために、第１補助脚１８だけでなく第２補助脚１９が、フレーム１０における第１設置空間１５Ａの側に取り付けられている。側面視において、第１補助脚１８および第２補助脚１９は、組合せ計量機１１０の重心を挟み込むように設置されている。
【００５３】
（６）特徴
（６−１）
第１アクセス遮断部材４１が、第１設置空間１５Ａと第２設置空間１５Ｂの一方から他方へのアクセスを遮断する。したがって、第１製袋包装部３１Ａと第２製袋包装部３１Ｂの一方だけが設置空間１５に設置されている場合において、設置空間１５にいる作業者が運転中の製袋包装部３０に接触することを防げるので、作業者の安全が確保される。
【００５４】
（６−２）
第１アクセス遮断部材４１が、第１製袋包装部３１Ａおよび第２製袋包装部３１Ｂの間に位置する。したがって、作業者がメンテナンスを行う製袋包装部以外の製袋包装部に接触することを防げるので、作業者の安全が確保される。
【００５５】
（６−３）
第１アクセス遮断部材４１がフレーム１０の中心平面ＣＰに設けられるので、第１設置空間１５Ａと第２設置空間１５Ｂの大きさが均等になる。したがって、包装装置９０が対照的な構造を有するので、包装装置９０が安定し、作業者の安全が確保される。
【００５６】
（６−４）
第１製袋包装部３１Ａおよび第２製袋包装部３１Ｂは、天井部１１を支持するための支持部３２を含む。したがって、第１製袋包装部３１Ａおよび第２製袋包装部３１Ｂは、それぞれ第１設置空間１５Ａおよび第２設置空間１５Ｂに設置されているときに天井部１１の支持に寄与するので、包装装置９０の安定性が増す。
【００５７】
（６−５）
第１製袋包装部３１Ａおよび第２製袋包装部３１Ｂは、それぞれ全高調節部３３を含む。したがって、支持部３２の高さ方向の位置を調節できるので、第１製袋包装部３１Ａおよび第２製袋包装部３１Ｂを、それぞれ第１設置空間１５Ａおよび第２設置空間１５Ｂに設置する作業が容易になる。
【００５８】
（６−６）
第１製袋包装部３１Ａおよび第２製袋包装部３１Ｂは、それぞれジャッキ受容部３９、防振ゴム部材３４、ボルト３５を有する。したがって、設置の際に、製袋包装部３０をパレットジャッキで持ち上げて設置空間１５へ移動し、所定の位置で製袋包装部３０を床へ下ろし、支持部３２と天井部１１の隙間に防振ゴム部材３４を挿入し、これらすべてをボルト３５で固定することにより、支持部３２による天井部１１が支持され、フレーム１０が安定する。
（６−７）
天井部１１には組合せ計量機１１０が載置される。したがって、組合せ計量機１１０は安定した構造を有するフレーム１０によって安定的に支持される。
【符号の説明】
【００５９】
１０      フレーム
１１      天井部
１１ａ〜１１ｅ    梁
１２      脚部
１２ａ〜１２ｄ  固定脚
１５      設置空間
１８      第１補助脚
１９      第２補助脚
３０      製袋包装部
３１Ａ    第１製袋包装部
３１Ｂ    第２製袋包装部
３２      支持部
３３      全高調節部
３４      防振ゴム部材
３５      ボルト
３９      ジャッキ受容部
４０      アクセス遮断部材群
４１      第１アクセス遮断部材
４２      第２アクセス遮断部材
４３      第３アクセス遮断部材
４５      移動扉板
４５ｅ    移動扉端
４６      非移動扉板
４６ｅ    非移動扉端
４７      ヒンジ
５０      操作盤
６０      金属検知部
９０      包装装置
１１０      組合せ計量機
ＰＪ      パレットジャッキ
【先行技術文献】
【特許文献】
【００６０】
【特許文献１】実開昭６０−７００３７号公報
【図１】
2018184193.tif 000003
【図２】
2018184193.tif 000004
【図３】
2018184193.tif 000005
【図４】
2018184193.tif 000006
【図５】
2018184193.tif 000007
【図６】
2018184193.tif 000008
【図７】
2018184193.tif 000009
【図８】
2018184193.tif 000010
【図９】
2018184193.tif 000011
【図１０】
2018184193.tif 000012
【図１１】
2018184193.tif 000013
【図１２】
2018184193.tif 000014
【図１３Ａ】
2018184193.tif 000015
【図１３Ｂ】
2018184193.tif 000016
【図１３Ｃ】
2018184193.tif 000017
【図１３Ｄ】
2018184193.tif 000018